【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
磁気共鳴イメージング装置において使用されるＲＦ送信システムであって、前記ＲＦ送信システムは、
少なくとも、第１のＲＦ電源及び第２のＲＦ電源を含むＲＦドライバユニットと、
中心軸を有するＲＦコイル構成とを備え、前記ＲＦコイル構成は、
複数のＲＦコイル部材と、
前記複数のＲＦコイル部材のＲＦコイル部材に電気的に接続された少なくとも二対の複数の対の駆動ポートとをさらに含み、
前記複数の対の駆動ポートの各対の駆動ポートの各駆動ポートは、前記中心軸に関する方位角方向において９０°の角度距離だけ離間して配置され、
前記ＲＦコイル構成は、前記複数の対の駆動ポートのうちの一対の駆動ポートにＲＦ電力が供給されているとき、ＲＦ励起磁場Ｂ１を生成し、
前記ＲＦ送信システムはさらに、
第１の切替状態において、前記第１のＲＦ電源を前記複数の対の駆動ポートのうちの第１の対の駆動ポートの第１の駆動ポートに電気的に接続し、前記第２のＲＦ電源を前記第１の対の駆動ポートの第２の駆動ポートに電気的に接続し、さらに、少なくとも第２の切替状態において、前記第１のＲＦ電源を前記複数の対の駆動ポートのうちの少なくとも第２の対の駆動ポートの第１の駆動ポートに電気的に接続し、前記第２のＲＦ電源を前記少なくとも第２の対の駆動ポートの第２の駆動ポートに電気的に接続する複数の切替部材を備え、
前記第１の対の駆動ポートの第１の駆動ポート、及び前記少なくとも第２の対の駆動ポートの第１の駆動ポートは、前記中心軸に関する前記方位角方向において固定の所定角度距離だけ離間して配置される、ＲＦ送信システム。
【請求項２】
前記第１のＲＦ電源及び前記第２のＲＦ電源は、等しい公称電力定格を有する、請求項１に記載のＲＦ送信システム。
【請求項３】
前記ＲＦコイル構成は、バードケージコイル又はＴＥＭコイルとして構成される、請求項１又は２に記載のＲＦ送信システム。
【請求項４】
前記中心軸に対して垂直に配置された少なくとも１つの平面において、前記複数のＲＦコイル部材の中心は、仮想的な楕円の円周上に配置される、請求項１から３のいずれか一項に記載のＲＦ送信システム。
【請求項５】
前記固定の所定角度距離は、１０°〜４５°の絶対値を有する、請求項１から４のいずれか一項に記載のＲＦ送信システム。
【請求項６】
前記第１のＲＦ電源及び前記第２のＲＦ電源は、入力ポートにおいて単一のＲＦ電源に電気的に接続された９０°ハイブリッドカプラの２つの出力ポートとして構成される、請求項１から５のいずれか一項に記載のＲＦ送信システム。
【請求項７】
前記駆動ポートを前記切替部材に接続するための電気的接続は、ラーモア周波数の波長の半分の整数倍に等しい有効電気長を有する少なくとも１つのＲＦ伝送線を含む、請求項１から６のいずれか一項に記載のＲＦ送信システム。
【請求項８】
前記複数の切替部材の前記切替部材は、機械的スイッチ、ダイオード、トランジスタ、及びＭＥＭＳ  ＲＦスイッチのうちの少なくとも１つを含む、請求項１から７のいずれか一項に記載のＲＦ送信システム。
【請求項９】
関心対象の少なくとも一部から磁気共鳴信号を取得する磁気共鳴イメージングシステムであって、前記磁気共鳴イメージングシステムは、
取得された前記磁気共鳴信号から磁気共鳴画像を提供し、前記磁気共鳴イメージングシステムは、
前記関心対象の少なくとも一部を内部に配置するよう設けられた検査空間と、
少なくとも前記検査空間において準静磁場Ｂ０を生成する主磁石であって、
前記検査空間は、前記主磁石の前記準静磁場Ｂ０内に配置される、主磁石と、
前記磁気共鳴イメージングシステムの機能を制御する制御ユニットと、
磁気共鳴信号を処理して、受信された前記磁気共鳴信号から前記関心対象の前記少なくとも一部の少なくとも１つの磁気共鳴画像を生成する信号処理ユニットと、
請求項１から８のいずれか一項に記載のＲＦ送信システムとを備える、磁気共鳴イメージングシステム。
【請求項１０】
請求項９に記載の磁気共鳴イメージングシステム内の請求項１から８のいずれか一項に記載のＲＦ送信システムの作動方法であって、前記方法は、
所定の較正結果に基づいて、前記複数の対の駆動ポートのうちの一対の駆動ポートを選択するステップと、
前記複数の切替部材を介して、前記選択された対の駆動ポートの第１の駆動ポートを、前記第１のＲＦ電源に電気的に接続し、前記選択された対の駆動ポートの第２の駆動ポートを、前記第２のＲＦ電源に電気的に接続するステップと、
前記第１のＲＦ電源及び前記第２のＲＦ電源から、前記選択された対の駆動ポートにＲＦ電力を供給するステップとを含む、方法。
【請求項１１】
前記選択された対の駆動ポートを使用して第１の磁気共鳴スキャンを実行するステップと、
実行された前記第１の磁気共鳴スキャンから第１の磁気共鳴画像を生成するステップと、
前記複数の対の駆動ポートから、ＲＦ電力を供給するための異なる対の駆動ポートを選択するステップと、
前記選択された異なる対の駆動ポートを使用して第２の磁気共鳴スキャンを実行するステップと、
実行された前記第２の磁気共鳴スキャンから磁気共鳴画像を生成するステップとをさらに含む、請求項１０に記載の方法。
【請求項１２】
前記複数の対の駆動ポートのうちの一対の駆動ポートを選択するステップと、
前記複数の切替部材を介して、前記選択された対の駆動ポートの第１の駆動ポートを、前記第１のＲＦ電源に電気的に接続し、前記選択された対の駆動ポートの第２の駆動ポートを、前記第２のＲＦ電源に電気的に接続するステップと、
前記第１のＲＦ電源及び前記第２のＲＦ電源から、前記選択された対の駆動ポートにＲＦ電力を供給するステップと、
前記ＲＦコイル構成によって生成された前記ＲＦ励起磁場Ｂ１のマッピング測定を実行するステップと、
特定の対の駆動ポートの第１の駆動ポート及び前記特定の対の駆動ポートの第２の駆動ポートの可能な限り等しいＲＦ電力需要の制約下で、ＲＦ励起磁場Ｂ１関連最適化パラメータに関して最高値を有する前記ＲＦ励起磁場Ｂ１を生成可能な前記複数の対の駆動ポートのうちの前記特定の対の駆動ポートを、前記マッピング測定の結果に基づいて決定するステップという先行するステップを含む、請求項１０又は１１に記載の方法。
【請求項１３】
前記複数の対の駆動ポートのうちの一対の駆動ポートを選択するステップと、
前記複数の切替部材を介して、前記選択された対の駆動ポートの第１の駆動ポートを、前記第１のＲＦ電源に電気的に接続し、前記選択された対の駆動ポートの第２の駆動ポートを、前記第２のＲＦ電源に電気的に接続するステップと、
前記第１のＲＦ電源及び前記第２のＲＦ電源から、前記選択された対の駆動ポートにＲＦ電力を供給するステップと、
前記ＲＦコイル構成によって生成された前記ＲＦ励起磁場Ｂ１のマッピング測定を実行するステップと、
前記複数の対の駆動ポートのうちの全ての対の駆動ポートについて、前記先行するステップを繰り返すステップと、
特定の対の駆動ポートの第１の駆動ポート及び前記特定の対の駆動ポートの第２の駆動ポートの可能な限り等しいＲＦ電力需要の制約下で、ＲＦ励起磁場Ｂ１関連最適化パラメータに関して最高値を有する前記ＲＦ励起磁場Ｂ１を提供する前記複数の対の駆動ポートのうちの前記特定の対の駆動ポートを記録するステップという先行するステップを含む、請求項１０又は１１に記載の方法。
【請求項１４】
前記ＲＦ励起磁場Ｂ１関連最適化パラメータは、
前記ＲＦ励起磁場Ｂ１の均一度、
選択されたスライスにおける達成可能な平均ＲＦ励起磁場Ｂ１に対する印加される全ＲＦ電力の比として定義されるＲＦ電力効率、及び
前記ＲＦ励起磁場Ｂ１によって生じる局所的又は全体的な比吸収率の逆数からなる群から選択される、請求項１２又は１３に記載の方法。